(57)【要約】【課題】ノブからフォークが外れにくい空調用レジスタを提供する。【解決手段】空調用レジスタは、通風路を形成するケースと、横フィン８と、縦フィン９と、ノブ２３と、一対の係合壁５３を有するフォーク２６と、を備え、ノブ２３の一対の連結溝４３にフォーク２６の連結部５０が挿入されて凸部と凹部との嵌合によりノブ２３とフォーク２６とが連結され、且つ縦フィン９の係合軸３０が係合壁５３の間に挟まれており、ノブ２３を左右方向に摺動させることにより、縦フィン９を傾動させて通風路を閉塞し、空調用空気の吹き出しを抑制する。そして、連結溝４３は、左右方向における幅が、連結部５０の左右方向における長さと凸部の左右方向における長さとを加算した長さよりも狭く、ノブ２３では、連結溝４３の対向壁のうち、内側に位置する内側対向壁を構成する内側部４５と、外側に位置する外側対向壁を構成する外側部４７とが別体に形成されている。【選択図】図４
2016078557.tif 000002
【特許請求の範囲】
【請求項１】
空調用空気の通風路を形成するケースと、
前記通風路の延伸方向と直交する第１方向に延びて前記ケース内に傾動可能に設けられた板状の第１フィンと、
前記第１フィンよりも空調用空気の流れ方向上流側に位置し、前記通風路の延伸方向及び前記第１方向の双方に直交する第２方向に延びて、前記ケース内に傾動可能に設けられた板状の第２フィンと、
前記第１フィンに取り付けられて前記第１方向に摺動可能なノブと、
前記第２フィン側に突出して前記第１方向において相対向する一対の係合壁を有するフォークと、を備え、
前記ノブに設けられた一対の連結溝のそれぞれに前記フォークに設けられた連結部が挿入されて凸部と凹部との嵌合により前記ノブと前記フォークとが連結され、且つ前記第２フィンに設けられた前記第２方向に延びる係合軸が前記係合壁の間に挟まれており、
前記ノブを前記第１方向に摺動させることにより、前記フォークを介して前記第２フィンを傾動させて同第２フィンによって前記通風路を閉塞して空調用空気の吹き出しを抑制することが可能な空調用レジスタであって、
前記連結溝は、前記第１方向における幅が、同連結溝に挿入される前記連結部の前記第１方向における長さと前記凸部の前記第１方向における長さとを加算した長さよりも狭く、
前記ノブでは、前記連結溝における相対向する対向壁のうち、内側に位置する内側対向壁を構成する内側部と、外側に位置する外側対向壁を構成する外側部とが別体に形成されている
空調用レジスタ。
【請求項２】
請求項１に記載の空調用レジスタにおいて、
前記ノブは、前記第１フィンの前記第２方向における一方の面を覆う第１部材と、前記第１フィンの前記第２方向における他方の面を覆う第２部材とからなり、
前記第１部材には前記内側対向壁を構成する前記内側部が設けられ、前記第２部材には前記外側対向壁を構成する前記外側部が設けられている
ことを特徴とする空調用レジスタ。
【請求項３】
請求項２に記載の空調用レジスタにおいて、
前記第１部材に設けられた前記内側対向壁に前記凸部が形成され、
前記フォークの前記連結部に前記凸部と嵌合する前記凹部として嵌合孔が形成されている
ことを特徴とする空調用レジスタ。
【発明の詳細な説明】
【技術分野】
【０００１】
この発明は、空調装置から送られてきた空調用空気の吹き出し方向をフィンにより変更する空調用レジスタに関する。
【背景技術】
【０００２】
従来、車両のインストルメントパネルに、空調装置から送られてきた空気を吹き出す空調用レジスタを設けた構成が知られている。（例えば、特許文献１など）。
特許文献１に記載の空調用レジスタには、空調用空気の通風路を形成するケースが設けられており、このケース内には、左右方向に延びる横フィンと、同横フィンよりも空調用空気の流れ方向上流側に位置し、上下方向に延びる縦フィンとが傾動可能に設けられている。横フィンには同横フィンに沿って摺動可能なノブが取り付けられている。ノブと縦フィンとの間にはノブの摺動に伴い縦フィンを傾動させるギア機構が設けられている。
【０００３】
こうした空調用レジスタでは、横フィンを傾動させたり、横フィンに取り付けられているノブを操作して縦フィンを傾動させたりすることによって、空調用空気の吹き出し方向を変更する。
【０００４】
ところで、上記構成のように通風路にギア機構を設けている場合には、通風面積が減少して圧力損失が大きくなる。そのため、特許文献２に記載の空調用レジスタでは、こうしたギア機構を設けずに、ノブと縦フィンとを連動させるようにしている。
【０００５】
図１８に示すように、特許文献２に記載の空調用レジスタでは、横フィン１００に取り付けられたノブ１０１と縦フィン１０２との間にフォーク１０３が設けられている。フォーク１０３は、ノブ１０１側の端部が三股に分かれており、三股に分かれた端部のうち左端に位置する左端部１０４と右端に位置する右端部１０５とには、左右方向に延びる連結軸１０６が設けられている。ノブ１０１のフォーク１０３側の端部には、フォーク１０３側に突出して貫通孔が形成された一対の連結壁１０７と、同連結壁１０７と対向する支持壁１０８とが設けられている。そして、連結壁１０７を弾性変形させた状態で貫通孔に連結軸１０６を挿通し、連結壁１０７と支持壁１０８との間にフォーク１０３の端部１０４，１０５を組み付けることにより、フォーク１０３とノブ１０１とが連結されている。
【０００６】
また、縦フィン１０２には、横フィン１００側から切り欠かれた切り欠き部１０９が設けられている。そして、この切り欠き部１０９の周縁部における上部と下部とが係合軸１１０によって接続されている。フォーク１０３には、縦フィン１０２側に延びる一対の係合壁１１１が設けられており、この係合壁１１１が縦フィン１０２の係合軸１１０を左右から挟んでいる。
【０００７】
このため、ノブ１０１を横フィン１００に沿って左右方向に移動させると、係合壁１１１が係合軸１１０を移動させて縦フィン１０２が傾動する。
なお、こうした空調用レジスタでは、空調用空気の吹き出しを停止させるために、通風路を閉塞させるシャットダンパが設けられている。
【先行技術文献】
【特許文献】
【０００８】
【特許文献１】特開２０１０‐１１５９７２号公報
【特許文献２】特開２０１２‐１７９９３２号公報
【発明の概要】
【発明が解決しようとする課題】
【０００９】
ところで、上述した空調用レジスタのように、通風路にシャットダンパを備えると、シャットダンパを可動させる機構が必要になり、装置が大型化するおそれがある。このため、近年では、縦フィンを隣り合うフィンに当接するまで回動させて通風路を閉塞することによって、縦フィンをシャットダンパとして機能させるようにしている。
【００１０】
しかしながら、図１９に示すように、こうして縦フィン１０２を大きく回動させた場合には、係合軸１１０の位置が上流側に移動して、フォーク１０３の係合壁１１１の先端部に係合軸１１０が位置することになる。ノブ１０１を操作して縦フィン１０２を傾動させるときに、ノブ１０１とフォーク１０３とを連結している連結壁１０７に作用する反力は、係合軸１１０が連結壁１０７から離れるほど大きくなる。このため、上記空調用レジスタのように、連結壁１０７を弾性変形させてフォーク１０３とノブ１０１とを連結した場合には、縦フィン１０２によって通風路を閉塞している状態から縦フィン１０２を傾動させたときに、縦フィン１０２からの反力によってフォーク１０３を支持する連結壁１０７が弾性変形してしまい、ノブ１０１からフォーク１０３が外れてしまう可能性が高くなる。
【００１１】
本発明は、こうした課題に鑑みてなされたものであり、その目的は、ノブからフォークが外れにくい空調用レジスタを提供することにある。
【課題を解決するための手段】
【００１２】
上記課題を解決するための空調用レジスタは、空調用空気の通風路を形成するケースと、通風路の延伸方向と直交する第１方向に延びてケース内に傾動可能に設けられた板状の第１フィンと、第１フィンよりも空調用空気の流れ方向上流側に位置し、通風路の延伸方向及び前記第１方向の双方に直交する第２方向に延びて、ケース内に傾動可能に設けられた板状の第２フィンと、第１フィンに取り付けられて前記第１方向に摺動可能なノブと、第２フィン側に突出して前記第１方向において相対向する一対の係合壁を有するフォークと、を備え、ノブに設けられた一対の連結溝のそれぞれにフォークに設けられた連結部が挿入されて凸部と凹部との嵌合によりノブとフォークとが連結され、且つ第２フィンに設けられた前記第２方向に延びる係合軸が係合壁の間に挟まれており、ノブを前記第１方向に摺動させることにより、フォークを介して第２フィンを傾動させて同第２フィンによって通風路を閉塞して空調用空気の吹き出しを抑制する。そして、連結溝は、前記第１方向における幅が、同連結溝に挿入される連結部の前記第１方向における長さと凸部の前記第１方向における長さとを加算した長さよりも狭く、ノブでは、連結溝における相対向する対向壁のうち、内側に位置する内側対向壁を構成する内側部と、外側に位置する外側対向壁を構成する外側部とが別体に形成されている。
【００１３】
上記構成によれば、連結溝の第１方向における幅が、連結部の第１方向における長さと凸部の第１方向における長さとを加算した長さよりも狭くなっているため、フォークの連結部が連結溝内で第１方向に移動したとしても凸部が凹部から抜ける前に連結部が内側対向壁または外側対向壁に当接するようになる。したがって、凹部から凸部が抜けてしまうことが抑制され、ノブからフォークが外れにくくなる。
【００１４】
また、内側対向壁を構成する内側部と外側対向壁を構成する外側部とが別体であるため、内側部と外側部とを組み合わせる前に、凹部に凸部を嵌合させるようにすれば、フォークの連結部を弾性変形させて凹部に凸部を容易に嵌合させることができる。
【００１５】
また、上記空調用レジスタでは、ノブは、第１フィンの前記第２方向における一方の面を覆う第１部材と、第１フィンの前記第２方向における他方の面を覆う第２部材とからなり、第１部材には内側対向壁を構成する内側部が設けられ、第２部材には外側対向壁を構成する外側部が設けられていることが望ましい。
【００１６】
上記構成によれば、内側部が設けられた第１部材と外側部が設けられた第２部材とを第１フィンを挟むようにして組み付けることで、連結溝が形成される。このため、ノブを第１フィンに組付ける作業の際に連結溝を形成することができる。したがって、ノブを第１フィンに組み付ける作業と内側部と外側部とを組み合わせて連結溝を形成する作業とを別々に行う場合に比べて作業工数が減少し、空調用レジスタの組み立てが容易になる。
【００１７】
また、上記空調用レジスタの一態様として、第１部材に設けられた内側対向壁に凸部を形成し、フォークの連結部に凸部と嵌合する凹部として嵌合孔を形成してもよい。
【発明の効果】
【００１８】
本発明によれば、ノブからフォークが外れにくい空調用レジスタを提供することができる。
【図面の簡単な説明】
【００１９】
【図１】一実施形態としての空調用レジスタの構成を示す斜視図。
【図２】同実施形態の空調用レジスタの一部の構成を示す分解斜視図。
【図３】同実施形態の空調用レジスタの一部の構成を示す分解斜視図。
【図４】同実施形態にかかるノブ、フォーク、及び縦フィンの構成を示す斜視図。
【図５】同実施形態にかかるノブの構成を示す分解斜視図。
【図６】同実施形態にかかるフォークの構成を示す斜視図。
【図７】ノブの第１部材にフォークを組み付けた状態を示す分解斜視図。
【図８】ノブとフォークとを組み付けた状態を示す斜視図。
【図９】ノブの連結溝の構成を示す上面図。
【図１０】横フィンを通過する空調用空気の流れ方向を示す断面図であり、（ａ）は横フィンが水平になっているときの断面図、（ｂ）は横フィンが水平方向に対して上方に傾動されたときの断面図、（ｃ）は横フィンが水平方向に対して下方に傾動されたときの断面図。
【図１１】縦フィンを通過する空調用空気の流れ方向を示す断面図であり、（ａ）は縦フィンが通風路の延伸方向に対して平行になっているときの断面図、（ｂ）は縦フィンが延伸方向に対して右側に傾動されたときの断面図、（ｃ）は縦フィンを更に右側に傾動させて通風路を閉塞したときの断面図。
【図１２】縦フィンによって通風路を閉塞したときのフォークと係合軸との位置関係を示す断面図。
【図１３】他の実施形態にかかるノブの一部の構成とフォークの構成とを示す斜視図。
【図１４】他の実施形態にかかるノブの一部の構成とフォークの構成とを示す斜視図。
【図１５】他の実施形態にかかるノブの一部の構成とフォークの構成とを示す斜視図。
【図１６】他の実施形態にかかるノブとフォークとの構成を示す斜視図。
【図１７】他の実施形態にかかるノブとフォークとの構成を示す斜視図。
【図１８】従来の空調用レジスタにかかる横フィン、ノブ、フォーク、及び縦フィンの構成を示す斜視図。
【図１９】従来の空調用レジスタにおいて、縦フィンによって通風路を閉塞したときのフォークと係合軸との位置関係を示す部分断面図。
【発明を実施するための形態】
【００２０】
以下、空調用レジスタの一実施形態について、図１〜図１２を参照して説明する。本実施形態では、車両のインストルメントパネルに設けられ、車室内に空調用空気を吹き出す空調用レジスタを例に説明する。なお、以下では、車幅方向を左右方向とし、車両前方に向かって左手側を左右方向における左側、右手側を左右方向における右側とする。また、車両上下方向を単に上下方向とする。
【００２１】
図１に示すように、空調用レジスタ１には、左右方向に延びて相対向する一対の壁部２と、上下方向に延びて相対向する一対の壁部３とにより、四角筒形状に形成されたケース４が設けられている。ケース４の正面には、空調用空気が吹き出される開口５が設けられている。ケース４は、通風ダクトを通じて空調装置に接続されており、内部に空調装置から送られてきた空調用空気の通路（以下、通風路という）が形成されている。したがって、空調用空気の流れ方向では、空調装置に近い側が上流側となり、空調装置から遠い側、すなわち開口５側が下流側となる。また、ケース４の開口５から各壁部２，３と平行に奥に向かって延びる方向を通風路の延伸方向とする。
【００２２】
図２及び図３に示すように、ケース４内には、下流側リテーナ６と上流側リテーナ７とが設けられている。各リテーナ６，７は、四角枠状をなし、それぞれフィン８，９が設けられる。
【００２３】
図２に示すように、下流側リテーナ６には、通風路の延伸方向と直交する左右方向（第１方向）に延びる第１フィンとしての横フィン８が取り付けられる。横フィン８は、板状に形成されており、上下方向に複数（本実施形態では３つ）並んで設けられている。
【００２４】
各横フィン８には、下流側の端部に左右方向に延びる回転軸１０が設けられている。これら回転軸１０の右端部には、支持板１１が取り付けられる。支持板１１には、上下方向における中央部に上流側から切り欠かれた溝１２が設けられ、この溝１２の上下に、支持孔を有し、右方に突出した筒形状の係止部１３が設けられている。
【００２５】
ここで、各横フィン８のうち上下方向における中央に位置する中央横フィン８１は、回転軸１０の右端に拡径部１４が設けられており、回転軸１０の右端部が括れた形状になっている。このため、この括れた部分を支持板１１の溝１２に差し込むとともに、他の横フィン８の回転軸１０を支持板１１の係止部１３に挿通することによって、各横フィン８が支持板１１に組み付けられる。
【００２６】
また、各横フィン８の右端部には、回転軸１０よりも上流側に、右方に突出した連動軸１５が設けられている。各連動軸１５には、支持孔が形成された板状の伝達部材１６が組み付けられる。
【００２７】
一方、下流側リテーナ６の左壁１７には、３つの支持孔１８が設けられている。また、下流側リテーナ６の右壁１９には、下流側から切り欠かれた切り欠き部２０が上下方向に３つ並んで設けられている。上下方向に並んで設けられた切り欠き部２０のうち中央の切り欠き部２０１の周縁部には、同切り欠き部２０１を囲う囲い壁２１が突設されている。
【００２８】
また、下流側リテーナ６には、支持孔を有し、中央の切り欠き部２０１の囲い壁２１に係止される係合片２２が設けられている。
こうした構成を備える下流側リテーナ６には、例えば次のようにして、横フィン８が組み付けられる。
【００２９】
すなわち、各横フィン８の右端部に支持板１１と伝達部材１６を組み付けて、各横フィン８の回転軸１０の左端部を下流側リテーナ６の左壁１７に設けられた支持孔１８に挿通する。そして、各横フィン８の右端部に組み付けられた支持板１１の係止部１３を、下流側リテーナ６の右壁１９に設けられた切り欠き部２０のうち上方と下方に設けられた切り欠き部２０にそれぞれ係止させる。これにより、各横フィン８が下流側リテーナ６の内部に配設されるとともに、中央横フィン８１の回転軸１０に設けられた拡径部１４が、下流側リテーナ６の右壁１９に設けられた中央の切り欠き部２０１内に位置した状態になる。そして、この中央横フィン８１の拡径部１４に支持孔を介して係合片２２を組み付けつつ、同係合片２２を囲い壁２１に係止させる。これにより、各横フィン８は、それぞれが上下方向において離間して平行に並んだ状態で、下流側リテーナ６に回動可能に支持される。なお、伝達部材１６は、各横フィン８の連動軸１５に組み付けられており、下流側リテーナ６に対して変位可能になっている。
【００３０】
また、空調用レジスタ１には、中央横フィン８１に取り付けられるノブ２３が設けられている。ノブ２３は、中央横フィン８１の上面を覆う第１部材２４と、下面を覆う第２部材２５とからなる。ノブ２３には、フォーク２６が連結される。
【００３１】
次に、図３を参照して、上流側リテーナ７の構成について説明する。
図３に示すように、上流側リテーナ７には、通風路の延伸方向及び左右方向（第１方向）の双方に直交する上下方向（第２方向）に延びる第２フィンとしての縦フィン９が取り付けられる。縦フィン９は、板状に形成されており、左右方向に複数（本実施形態では７つ）並んで設けられている。
【００３２】
各縦フィン９には、上下方向に延びる回転軸２７が設けられている。また、各縦フィン９の右側面には、回転軸２７よりも上流側の位置に上方に突出した連動軸２８が設けられている。
【００３３】
各縦フィン９のうち、左右方向における中央に位置する中央縦フィン９１には、下流側から切り欠かれた切り欠き部２９が設けられている。そして、この切り欠き部２９の周縁部における上部と下部とが係合軸３０によって接続されている。
【００３４】
一方、上流側リテーナ７の下壁３１には、下流側から切り欠かれた複数の切り欠き溝３２が設けられている。また、上流側リテーナ７の上壁３３には、下壁３１に設けられた切り欠き溝３２と対向する位置に、支持溝３４が形成されている。そして、これら切り欠き溝３２及び支持溝３４に各縦フィン９の回転軸２７を挿通することによって上流側リテーナ７内に縦フィン９が配設される。
【００３５】
また、上流側リテーナ７には、下壁３１に固定されて、同下壁３１の切り欠き溝３２の開口を塞ぐ封止板３５が設けられている。このため、例えば、各縦フィン９の回転軸２７を切り欠き溝３２と支持溝３４とに挿通して、上流側リテーナ７内に縦フィン９が配設された状態で、切り欠き溝３２の開口を塞ぐように封止板３５を下壁３１に固定すれば、各縦フィン９の回転軸２７が封止板３５と切り欠き溝３２の間に挟まれて所定の位置に支持される。その結果、上流側リテーナ７に縦フィン９が回転可能に支持される。
【００３６】
また、上流側リテーナ７には、各縦フィン９に設けられた連動軸２８を支持する複数の支持孔が形成された伝達部材３６が設けられている。この伝達部材３６は、上流側リテーナ７に縦フィン９が組み付けられたときに連動軸２８に組み付けられた状態で上流側リテーナ７に変位可能に収容される。
【００３７】
図２及び図３に示すように、上流側リテーナ７には、上壁３３から上方に突出する係止爪３７と下壁３１から下方に突出する係止爪３７とが設けられている。また、下流側リテーナ６の上流側の端部には、上壁及び下壁から上流側に突出して係止爪３７と係合する係止孔が形成された係合片３８が設けられている。そして、係止爪３７と係止孔とを係合させることによって係合片３８を介して上流側リテーナ７と下流側リテーナ６とが連結される。このように、各縦フィン９が組み付けられた上流側リテーナ７と、各横フィン８が組み付けられた下流側リテーナ６とを連結した状態では、縦フィン９が横フィン８よりも空調用空気の流れ方向において上流側に位置する。
【００３８】
また、下流側リテーナ６の下流側には、上壁から上方に突出する係止爪３９と下壁から下方に突出する係止爪３９とが設けられている。また、ケース４の正面を構成する蓋体４０１には、その上端部又は下端部から下流側に突出して、係止爪３９と係合する係止孔が形成された係合片４０が設けられている。そして、係止爪３９と係止孔とを係合させることによって係合片４０を介して下流側リテーナ６と蓋体４０１とが連結される。
【００３９】
そして、図１に示すように、これらの部材が連結された状態で各リテーナ６，７を覆うようにして各壁部２，３が組み付けられることによって、空調用レジスタ１が構成されている。
【００４０】
次に、図４〜図６を参照して、中央横フィン８１に取り付けられるノブ２３及びフォーク２６の構成について詳細に説明する。
図４に示すように、ノブ２３は、中央横フィン８１が挿通される摺動溝６４を有し、同中央横フィン８１に摺動可能に取り付けられている。ノブ２３は、中央横フィン８１の上面４１を覆う第１部材２４と、中央横フィン８１の下面４２を覆う第２部材２５とからなり、下流側の端部に一対の連結溝４３が形成されている。
【００４１】
図５に示すように、第１部材２４と第２部材２５とは、分離可能に形成されている。第１部材２４の下流側端部には、左右方向において一対の壁面４４を有する半円柱状の内側部４５が設けられている。内側部４５は、その下端が第１部材２４の他の部分よりも下方に位置している。なお、内側部４５は、窪み４６が形成されている。
【００４２】
一方、第２部材２５には、下流側端部の左右方向における両端に外側部４７が設けられている。各外側部４７は、半円柱状に形成され、相対向する一対の壁面４８が設けられている。各外側部４７は、その上端が第２部材２５の他の部分よりも上方に位置している。
【００４３】
第２部材２５では、外側部４７の相対向する一対の壁面４８の間の左右方向における長さが、第１部材２４に設けられた内側部４５の左右方向における長さよりも長くなっている。また、第１部材２４では、第１部材２４と第２部材２５とを組み合わせたときに、左右方向において、内側部４５が各外側部４７の間の略中央に位置するように内側部４５が設けられている。
【００４４】
こうした構成を備える第１部材２４と第２部材２５とが連結されると、内側部４５の壁面４４と外側部４７の壁面４８とが間に隙間を形成して対向し、連結溝４３を構成する。すなわち、内側部４５の壁面４４が連結溝４３における相対向する対向壁のうち内側に位置する内側対向壁を構成し、外側部４７の壁面４８が連結溝４３における相対向する対向壁のうち外側に位置する外側対向壁を構成する。
【００４５】
ここで、第１部材２４には、内側部４５の壁面４４に円柱状の凸部４９が形成されている。この凸部４９には、フォーク２６が連結される。
図６に示すように、フォーク２６は、ノブ２３の連結溝４３に挿通される一対の連結部５０を有している。連結部５０には、左右方向に延びる嵌合孔５１が設けられている。また、各連結部５０を繋ぐ結合部５２には、上流側、すなわち第２フィン側に突出し、左右方向において相対向する一対の係合壁５３が設けられている。なお、結合部５２は、中央がノブ２３側に突出するように湾曲した形状になっている。
【００４６】
こうしたノブ２３とフォーク２６とは、例えば次のようにして中央横フィン８１及び中央縦フィン９１に組み付けられる。
まず、ノブ２３の第１部材２４と第２部材２５とが分離した状態で、フォーク２６の一対の連結部５０のうち一方の連結部５０に設けられた嵌合孔５１を、第１部材２４の内側部４５の壁面４４のうち一方の壁面４４に設けられた凸部４９に嵌合する。そして、各連結部５０の間を拡げるようにフォーク２６を弾性変形させて、一対の連結部５０によって内側部４５を挟むように、第１部材２４の内側部４５の他方の壁面４４に設けられた凸部４９に他方の連結部５０の嵌合孔５１を嵌合する。
【００４７】
図７に示すように内側部４５にフォーク２６が組み付けられると、次に、内側部４５が設けられた第１部材２４と外側部４７が設けられた第２部材２５とによって中央横フィン８１を上下に挟むようにしてこれらを組み付ける。
【００４８】
これにより、図８に示すように、一対の連結溝４３が形成されたノブ２３を構成し、この連結溝４３に連結部５０が挿通された状態になる。
そして、図４に示すように、中央縦フィン９１に設けられた係合軸３０をフォーク２６の係合壁５３の間に挟んだ状態で、上流側リテーナ７と下流側リテーナ６を連結する。
【００４９】
なお、図９に示すように、連結溝４３は、左右方向における幅ｗが、同連結溝４３に挿入される連結部５０の左右方向における長さｌ１と凸部４９の左右方向における長さｌ２とを加算した長さよりも狭くなっている（ｗ＜ｌ１＋ｌ２）。すなわち、凸部４９の長さｌ２は、連結溝４３と連結部５０との隙間の左右方向における長さ（＝ｗ−ｌ２）よりも長くなっている。
【００５０】
次に、図１０及び図１１を参照して、こうした空調用レジスタ１の動作について説明する。
図１０（ａ）に示すように、通風路には、上下方向に並んで３つの横フィン８が設けられており、各横フィン８が水平になっている場合には、通風路を流れてきた空調用空気が開口５から水平方向に吹き出される。
【００５１】
一方、図１０（ｂ）に示すように、ノブ２３を操作したり中央横フィン８１を直接操作したりして、中央横フィン８１の上流側の端部を水平方向に対して下方に移動させるように回転軸１０を中心に中央横フィン８１を傾動させると、中央横フィン８１の回転軸１０よりも上流側に設けられている連動軸１５が下方に変位する。このため、この連動軸１５に嵌合している伝達部材１６が押し下げられる。これにより、中央横フィン８１の上下に設けられている各横フィン８でも、伝達部材１６に嵌合している連動軸１５が下方に変位し、回転軸１０を中心として上流側の端部が下方に移動する。このように、中央横フィン８１の上流側の端部を下方に移動させるように中央横フィン８１を傾けることで、中央横フィン８１の上下方向に離間して設けられている各横フィン８の上流側の端部も下方に移動し、全ての横フィン８が下流側ほど上方に向かうように傾動して通風路を流れる空調用空気が上方に向けて吹き出されるようになる。
【００５２】
他方、図１０（ｃ）に示すように、ノブ２３を操作したり中央横フィン８１を直接操作したりして、中央横フィン８１の上流側の端部を上方に移動させるように回転軸１０を中心に中央横フィン８１を傾動させると、中央横フィン８１の連動軸１５が上方に変位し、伝達部材１６が押し上げられる。これにより、中央横フィン８１の上下に設けられている各横フィン８でも、伝達部材１６に嵌合している連動軸１５が上方に変位し、回転軸１０を中心として上流側の端部が上方に傾動する。このように、中央横フィン８１の上流側の端部を上方に移動させるように中央横フィン８１を傾けることで、上下に離間して設けられている各横フィン８の上流側の端部も上方に移動し、全ての横フィン８が下流側ほど下方に向かうように傾動して通風路を流れる空調用空気が下方に向けて吹き出されるようになる。
【００５３】
なお、こうして中央横フィン８１が傾動すると、中央横フィン８１に取り付けられているノブ２３や同ノブ２３に連結されているフォーク２６も傾動する。フォーク２６の係合壁５３は、係合軸３０を左右方向に挟んではいるが、上下方向には挟んでいないため、こうして横フィン８が傾動しても、縦フィン９は傾動しない。
【００５４】
また、図１１（ａ）に示すように、通風路には、左右方向に並んで複数の縦フィン９が設けられており、各縦フィン９が通風路の延伸方向に対して平行になっている場合には、通風路を流れてきた空調用空気が開口５から通風路の延伸方向に沿って吹き出される。
【００５５】
一方、図１１（ａ）に示す状態から図１１（ｂ）に示すように、中央横フィン８１に沿って右方向にノブ２３を摺動させると、フォーク２６を介して、中央縦フィン９１の係合軸３０が右側に移動する。こうして係合軸３０が右側に移動すると、回転軸２７を中心として、中央縦フィン９１は下流側の端部を右側に移動させるように傾動する。すると、中央縦フィン９１の回転軸２７よりも上流側に設けられている連動軸２８は左側に変位し、同連動軸２８が嵌合している伝達部材３６が左側に移動する。これにより、中央縦フィン９１の左右に設けられている各縦フィン９では、伝達部材３６に嵌合している連動軸２８が左側に変位して、各縦フィン９が下流側の端部を右側に移動させるように傾動する。このように、ノブ２３を操作して中央縦フィン９１の下流側の端部を右側に移動させることで、左右に設けられている各縦フィン９の下流側の端部も右側に移動し、全ての縦フィン９が下流側ほど右側に向かうように傾動して通風路を流れる空調用空気が右側に向けて吹き出されるようになる。
【００５６】
そして、図１１（ｃ）に示すように、ノブ２３を中央横フィン８１に沿って更に右方向に摺動させると、各縦フィン９が更に傾動し、隣り合う縦フィン９同士が当接する。こうして各縦フィン９が当接すると、通風路が閉塞された状態になり、空調用レジスタ１からの空調用空気の吹き出しが抑制される。
【００５７】
他方、こうした状態からノブ２３を左方向に摺動させることで、各縦フィン９の下流側の端部を左側に移動させて通風路を開放し、空調用空気の吹き出しを再開させることができる。そして、ノブ２３を更に左方向に摺動させて縦フィン９の下流側の端部を通風路の延伸方向に対して左側に移動させ、各縦フィン９を下流側ほど左側に向かうように傾動させることにより、各縦フィン９に沿って空調用空気が左側に向けて吹き出されるようになる。
【００５８】
次に、こうした構成を備える空調用レジスタ１の作用について説明する。
図１２に示すように、縦フィン９を大きく回動させて通風路を閉塞した場合には、係合軸３０の位置が上流側に移動して、フォーク２６の係合壁５３の先端側に係合軸３０が位置することになる。ノブ２３を操作して縦フィン９を傾動させるときに、フォーク２６に横方向の反力が作用するが、フォーク２６の連結部５０に作用する反力は、係合軸３０が連結溝４３から離れるほど大きくなる。このため、縦フィン９によって通風路を閉塞している状態から縦フィン９を傾動させるときには、縦フィン９からの反力によってフォーク２６の連結部５０に大きな荷重が作用する。
【００５９】
本実施形態では、図９に示すように、連結溝４３の左右における幅ｗが、連結部５０の左右方向における長さｌ１と凸部４９の左右方向における長さｌ２とを加算した長さよりも狭くなっている。このため、反力によってフォーク２６の連結部５０が連結溝４３内で左右方向に移動したとしてもノブ２３の凸部４９がフォーク２６の嵌合孔５１から抜ける前に連結部５０が内側部４５の壁面４４（内側対向壁）または外側部４７の壁面４８（外側対向壁）に当接する。これにより、内側部４５や外側部４７によってフォーク２６の変位が制限され、凸部４９が嵌合孔５１から抜けてしまうことが抑制される。
【００６０】
また、ノブ２３では、内側対向壁を構成する内側部４５と外側対向壁を構成する外側部４７とを別体に形成している。そのため、内側部４５と外側部４７とを組み合わせる前には、フォーク２６の連結部５０同士を開くように弾性変形させて内側部４５に設けられた凸部４９とフォーク２６の連結部５０に設けられた嵌合孔５１とを嵌合させることができる。
【００６１】
また、ノブ２３を、中央横フィン８１の上面４１を覆う第１部材２４と、中央横フィン８１の下面４２を覆う第２部材２５とによって構成し、第１部材２４に内側部４５を設け、第２部材２５に外側部４７を設けている。このため、第１部材２４と第２部材２５とを中央横フィン８１を上下に挟むようにして組み付けることで、ノブ２３に一対の連結溝４３が形成される。
【００６２】
以上説明した実施形態によれば、以下の効果が得られるようになる。
（１）連結溝４３の左右方向における幅ｗを、連結溝４３に挿入される連結部５０の左右方向における長さｌ１と凸部４９の左右方向における長さｌ２とを加算した長さよりも狭くした。このため、内側部４５や外側部４７でフォーク２６の変位が制限され、ノブ２３からフォーク２６が外れにくくなる。
【００６３】
（２）内側対向壁を構成する内側部４５と外側対向壁を構成する外側部４７とが別体であるため、内側部４５と外側部４７とを組み合わせる前に、嵌合孔５１に凸部４９を嵌合させるようにすれば、フォーク２６の連結部５０を弾性変形させて嵌合孔５１に凸部４９を容易に嵌合させることができる。
【００６４】
（３）内側部４５が設けられた第１部材２４と外側部４７が設けられた第２部材２５とを中央横フィン８１を挟むようにして組み付けて連結溝４３を形成するようにした。このため、第１部材２４と第２部材２５とを中央横フィン８１を上下に挟むようにして組み付けることで、ノブ２３に一対の連結溝４３が形成される。したがって、ノブ２３を中央横フィン８１に組み付ける作業と内側部４５と外側部４７とを組み合わせて連結溝４３を形成する作業とを別々に行う場合に比べて作業工数が減少し、空調用レジスタ１の組み立てが容易になる。
【００６５】
上記各実施形態は、以下のように変更して実施することもできる。
・凸部４９の形状は円柱状に限らない。例えば、半球状であってもよい。なお、こうして凸部４９を半球状に形成した場合には、凸部４９の頂部での左右方向における長さが凸部４９の左右方向における長さｌ２になる。
【００６６】
・空調用レジスタ１の通風路の断面形状は適宜変更できる。要するに、ケース４は四角筒状に限らず、円筒状や他の形状であってもよい。
・図１３に示すように、ノブ２３の第２部材２５の外側部４７の対向する壁面に凸部５４を形成し、この凸部５４にフォーク２６の嵌合孔５１を嵌合させるようにしてもよい。
【００６７】
・図１４に示すように、フォーク２６の連結部５０に左右方向における外方に延びる凸部５５を形成するとともに、第２部材２５の外側部４７の対向する壁面にこの凸部５５と嵌合する凹部５６を形成して、これら凸部５５と凹部５６との嵌合によってフォーク２６を第２部材２５に連結するようにしてもよい。
【００６８】
・図１５に示すように、フォーク２６の連結部５０に左右方向における内方に向かって延びる凸部５７を形成するようにしてもよい。すなわち、フォーク２６の連結部５０に一方の連結部５０から他方の連結部５０に延びる凸部５７を形成するとともに、第１部材２４の内側部４５の壁面４４にこの凸部５７と嵌合する凹部５８を形成し、これら凸部５５と凹部５８との嵌合によってフォーク２６を第１部材２４に連結するようにしてもよい。
【００６９】
・ノブの構成としては、上述したものに限らず、例えば図１６及び図１７に示す構成を採用してもよい。
図１６に示すように、ノブ５９には、横フィン８が左右方向に差し込まれる摺動溝６０が形成された本体部６１が設けられている。本体部６１は、上下方向に相対向する上壁部６２及び下壁部６３と、通風路の延伸方向に相対向する前壁部６５及び後壁部６６を有している。後壁部６６には、一対の対向する壁面４８を有する外側部４７が設けられている。上壁部６２は、その一部が切り欠かれている。
【００７０】
また、ノブ５９には、上壁部６２の切り欠かれた形状に沿った形状を有する補助板部６９が設けられている。本体部６１と補助板部６９とは別体に形成されており、補助板部６９は本体部６１の前壁部６５の内面に蝶番などの回動機構を介して組み付けられている。補助板部６９には、回動機構が組み付けられる端部と反対側に位置する端部に内側部４５が設けられており、この内側部４５の壁面４４に設けられた凸部４９を介してフォーク２６が連結されている。こうした構成では、補助板部６９を回動機構を中心に回動させて本体部６１に組み付けることで、一対の連結溝４３を備えるノブを構成することができる。
【００７１】
また、図１７に示すように、ノブ７０を左右方向に３つに分割して、内側部４５を備える中心部７１と外側部４７を備える右側部７２及び左側部７３とで構成してもよい。こうした場合には、右側部７２及び左側部７３に設けられた係止爪７４を中心部に設けられた係止孔７５に係合させることで、一対の連結溝を備えるノブを構成することができる。
【００７２】
・空調用空気の流れ方向において上流側に設けられるフィンを上下方向に延びる縦フィン９とし、空調用空気の流れ方向において下流側に設けられるフィンを左右方向に延びる横フィン８としたが、上流側に設けられるフィンの延びる方向と下流側に設けられるフィンの延びる方向とが直交しているのであれば、フィンの延びる方向は適宜変更可能である。例えば、空調用空気の流れ方向において上流側に左右方向に延びる横フィンを設け、同横フィンよりも空調用空気の流れ方向において下流側に上下方向に延びる縦フィンを設けるようにしてもよい。こうした構成では、縦フィンに摺動可能にノブを取り付けて、同ノブと横フィンとを連結するフォークを設ける。こうした構成であっても、ノブの連結溝に上記構成を適用することで、上記（１）と同様の効果を得ることができる。
【符号の説明】
【００７３】
１…空調用レジスタ、２，３…壁部、４…ケース、５…開口、６…下流側リテーナ、７…上流側リテーナ、８…横フィン、９…縦フィン、１０…回転軸、１１…支持板、１２…溝、１３…係止部、１４…拡径部、１５…連動軸、１６…伝達部材、１７…左壁、１８…支持孔、１９…右壁、２０…切り欠き部、２１…囲い壁、２２…係合片、２３…ノブ、２４…第１部材、２５…第２部材、２６…フォーク、２７…回転軸、２８…連動軸、２９…切り欠き部、３０…係合軸、３１…下壁、３２…切り欠き溝、３３…上壁、３４…支持溝、３５…封止板、３６…伝達部材、３７…係止爪、３８…係合片、３９…係止爪、４０…係合片、６４…摺動溝、４１…上面、４２…下面、４３…連結溝、４４…壁面（内側対向壁）、４５…内側部、４６…窪み、４７…外側部、４８…壁面（外側対向壁）、４９…凸部、５０…連結部、５１…嵌合孔、５２…結合部、５３…係合壁、５４，５５…凸部、５６…凹部、５７…凸部、５８…凹部、５９…ノブ、６０…摺動溝、６１…本体部、６２…上壁部、６３…下壁部、６５…前壁部、６６…後壁部、６９…補助板部、７０…ノブ、７１…中心部、７２…右側部、７３…左側部、７４…係止爪、７５…係止孔、８１…中央横フィン、９１…中央縦フィン、１００…横フィン、１０１…ノブ、１０２…縦フィン、１０３…フォーク、１０４…左端部、１０５…右端部、１０６…連結軸、１０７…連結壁、１０８…支持壁、１０９…切り欠き部、１１０…係合軸、１１１…係合壁、２０１…切り欠き部、４０１…蓋体。
【図１】
2016078557.tif 000003
【図２】
2016078557.tif 000004
【図３】
2016078557.tif 000005
【図４】
2016078557.tif 000006
【図５】
2016078557.tif 000007
【図６】
2016078557.tif 000008
【図７】
2016078557.tif 000009
【図８】
2016078557.tif 000010
【図９】
2016078557.tif 000011
【図１０】
2016078557.tif 000012
【図１１】
2016078557.tif 000013
【図１２】
2016078557.tif 000014
【図１３】
2016078557.tif 000015
【図１４】
2016078557.tif 000016
【図１５】
2016078557.tif 000017
【図１６】
2016078557.tif 000018
【図１７】
2016078557.tif 000019
【図１８】
2016078557.tif 000020
【図１９】
2016078557.tif 000021